【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）細胞賦活剤及び／または湿潤剤から選ばれる１種又は２種以上
を含有することを特徴とする皮膚外用剤。
【化１】
1998279469.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の皮膚外用剤。
【化２】
1998279469.tif 000002
【化３】
1998279469.tif 000003
【化４】
1998279469.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の皮膚外用剤。
【請求項４】
前記細胞賦活剤は、デオキシリボ核酸及びその塩、アデノシン三リン酸、アデノシン一リン酸などのアデニル酸誘導体及びそれらの塩、リボ核酸及びその塩、グアニン、キサンチン及びそれらの誘導体並びにそれらの塩などの核酸関連物質；血清除蛋白抽出物、脾臓抽出物、胎盤抽出物、鶏冠抽出物、ローヤルゼリーなどの動物由来の抽出物；酵母抽出物、乳酸菌抽出物、ビフィズス菌抽出物、霊芝抽出物などの微生物由来の抽出物；ニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油などの植物由来の抽出物；α−又はγ−リノレン酸、エイコサペンタエン酸及びそれらの誘導体、コハク酸及びその誘導体並びにそれらの塩、エストラジオール及びその誘導体並びにそれらの塩、グリコール酸、乳酸、サリチル酸などのα−ヒドロキシ酸及びそれらの誘導体並びにそれらの塩から選ばれる１種または２種以上である請求項１、２、３または４記載の皮膚外用剤請求項１、２、または３記載の皮膚外用剤。
【請求項５】
前記湿潤剤は、コンドロイチン硫酸、デルマタン硫酸、ヘパラン硫酸、ヘパリン及びケラタン硫酸などのムコ多糖類またはそれらの塩、コラーゲン、ケラチンなどのタンパク質またはそれらの誘導体並びにそれらの塩、ソルビトール、イノシトール、トレハロース、尿素、ピロリドンカルボン酸及びその塩、グリシン及びその塩またはその誘導体、セリン及びその塩またはその誘導体、アルギニン及びその塩またはその誘導体、Ｄ−パンテノール、アロエ抽出物、シコン抽出物、海藻抽出物、マルメロ抽出物、ハマメリス抽出物、カミツレ抽出物、オウゴン抽出物及びアルテア抽出物から選ばれる１種または２種以上である請求項１、２、３、または４記載の皮膚外用剤。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）細胞賦活剤及び／または湿潤剤から選ばれる１種又は２種以上
を含有することを特徴とする皮膚外用剤を提供するものである。
【化５】
1998279469.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279469.tif 000006
【化７】
1998279469.tif 000007
【化８】
1998279469.tif 000008
（２）該セサミノール配糖体は、ゴマ種子やその加湿物もしくは発芽体、またはそれらの粉砕物、またはそれらの脱脂物の含水低級アルコール抽出物である。
（３）該細胞賦活剤は、デオキシリボ核酸及びその塩、アデノシン三リン酸、アデノシン一リン酸などのアデニル酸誘導体及びそれらの塩、リボ核酸及びその塩、グアニン、キサンチン及びそれらの誘導体並びにそれらの塩などの核酸関連物質；血清除蛋白抽出物、脾臓抽出物、胎盤抽出物、鶏冠抽出物、ローヤルゼリーなどの動物由来の抽出物；酵母抽出物、乳酸菌抽出物、ビフィズス菌抽出物、霊芝抽出物などの微生物由来の抽出物；ニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油などの植物由来の抽出物；α−又はγ−リノレン酸、エイコサペンタエン酸及びそれらの誘導体、コハク酸及びその誘導体並びにそれらの塩、エストラジオール及びその誘導体並びにそれらの塩、グリコール酸、乳酸、サリチル酸などのα−ヒドロキシ酸及びそれらの誘導体並びにそれらの塩から選ばれる１種または２種以上である。
（４）該湿潤剤は、コンドロイチン硫酸、デルマタン硫酸、ヘパラン硫酸、ヘパリン及びケラタン硫酸などのムコ多糖類またはそれらの塩、コラーゲン、ケラチンなどのタンパク質またはそれらの誘導体並びにそれらの塩、ソルビトール、イノシトール、トレハロース、尿素、ピロリドンカルボン酸及びその塩、グリシン及びその塩またはその誘導体、セリン及びその塩またはその誘導体、アルギニン及びその塩またはその誘導体、Ｄ−パンテノール、アロエ抽出物、シコン抽出物、海藻抽出物、マルメロ抽出物、ハマメリス抽出物、カミツレ抽出物、オウゴン抽出物及びアルテア抽出物から選ばれる１種または２種以上である。
【手続補正３】
【補正対象書類名】明細書
【補正対象項目名】００１０
【補正方法】変更
【補正の内容】
【００１０】
（細胞賦活剤）即ち、デオキシリボ核酸及びその塩、アデノシン三リン酸（ＡＴＰ）、アデノシン一リン酸（ＡＭＰ）等のアデニル酸誘導体及びそれらの塩、リボ核酸及びその塩、グアニン、キサンチン及びそれらの誘導体並びにそれらの塩等の核酸関連物質；血清除蛋白抽出物、脾臓抽出物、胎盤抽出物、鶏冠抽出物、ローヤルゼリー等の動物由来の抽出物；酵母抽出物、乳酸菌抽出物、ビフィズス菌抽出物、霊芝抽出物等の微生物由来の抽出物；オタネニンジン抽出物、センブリ抽出物、ローズマリー抽出物、オウバク抽出物、ニンニク抽出物、トウガラシ抽出物、イチョウ抽出物、ヒノキチオール、セファランチン、ブドウ種子油等の植物由来の抽出物；α−又はγ−リノレン酸、エイコサペンタエン酸、及びそれらの誘導体、コハク酸及びその誘導体並びにそれらの塩、エストラジオール及びその誘導体並びにそれらの塩、グリコール酸、乳酸、サリチル酸等のα−ヒドロキシ酸及びそれらの誘導体並びにそれらの塩等が挙げられる。


【手続補正４】
【補正対象書類名】明細書
【補正対象項目名】００１３
【補正方法】変更
【補正の内容】
【００１３】
これらの湿潤剤のうち、特に好ましいものは、皮膚の構成成分であり、従来から化粧料に配合されているコンドロイチン硫酸、デルマタン酸、ヘパラン硫酸、へパリン及びケラタン硫酸等のムコ多糖類及びそれらの塩、コラーゲン、ケラチン等のタンパク質及びそれらの誘導体並びにそれらの塩である。これらの各成分は、その起源について特に制約はなく、動物由来、微生物由来、合成品のいずれであってもよい。また、その抽出方法、精製処理方法等、製法についても特に制約されない。


【手続補正５】
【補正対象書類名】明細書
【補正対象項目名】００４９
【補正方法】変更
【補正の内容】
【００４９】
（製法）
Ａ．成分（１３）の一部を加熱混合し、７０℃に保つ。
Ｂ．成分（１）〜（５）を加熱混合し、７０℃に保つ。
Ｃ．上記Ｂを先のＡに加えて混合し、成分（１０）及び（１２）を加えて均一に乳化し、３０℃まで冷却して、成分（１１）を加え、均一に混合する。
Ｄ．成分（１３）の残分に成分（６）〜（９）を混合し、Ｃに加え、均一に混合し乳液を得る。


【手続補正６】
【補正対象書類名】明細書
【補正対象項目名】００６４
【補正方法】変更
【補正の内容】
【００６４】
（製法）
Ａ．成分（９）、（１０）及び（１３）を混合し、７０℃に加熱する。
Ｂ．成分（１）〜（６）、（８）及び（１２）を混合し、７０℃に加熱する。
Ｃ．上記Ｂを先のＡに加え、しばらく７０℃に保ち、反応が終了後、５０℃まで冷却し、成分（７）及び（１１）を加え、冷却して洗浄料を得た。